(57)【特許請求の範囲】
【請求項１】
給湯熱源機からの給湯をヘッダーにより２以上の分岐給湯配管に分岐されて２以上の給湯栓に導くようにされると共に、上記各分岐給湯配管に対し暖房熱源機から熱媒供給切換弁を介して熱媒を循環供給する循環配管を添わせ、熱媒供給切換弁の開閉切換制御により循環配管に循環供給される熱媒によって給湯運転停止中の給湯配管内の湯水を液−液熱交換で加温して所定の目標温度に維持するように即湯運転制御する即湯制御装置において、
分岐前の給湯配管内の湯水の温度を検出する温度検出手段と、即湯運転制御を実行する即湯運転制御部とを備え、
上記即湯運転制御部は、直前の所定時間内における上記２以上の分岐給湯配管のいずれかでの給湯使用の有無を給湯熱源機の燃焼履歴により判定し、いずれかの分岐給湯配管で給湯使用が有った場合には、加温の継続時間に制限を加えつつ上記温度検出手段による検出温度に基づく加温を繰り返す収束加温処理に切換えるように構成されている
ことを特徴とする即湯制御装置。
【請求項２】
請求項１に記載の即湯制御装置であって、
上記収束加温処理は、所定の即湯タイマがアップするか、上記温度検出手段による検出温度が上記目標温度を基準とする判定温度まで昇温するかのいずれかの条件が成立するまで上記循環配管に熱媒を循環供給して加温させる一方、上記のいずれかの条件が成立すれば上記循環配管への熱媒の循環供給を停止させるように構成されている、即湯制御装置。
【請求項３】
給湯熱源機からの給湯をヘッダーにより２以上の分岐給湯配管に分岐されて２以上の給湯栓に導くようにされると共に、上記各分岐給湯配管に対し暖房熱源機から熱媒供給切換弁を介して熱媒を循環供給する循環配管を添わせ、循環配管に循環供給される熱媒によって給湯運転停止中の給湯配管内の湯水を液−液熱交換で加温して所定の目標温度に維持するように構成された即湯システムであって、請求項１又は請求項２に記載の即湯制御装置を備えてなることを特徴とする即湯システム。
【発明の詳細な説明】
【技術分野】
【０００１】
本発明は、給湯栓を開けば熱源機からの湯が給湯栓まで流れてくるのを待つことなしに給湯栓から直ぐに出湯(即湯)して湯が利用し得るように暖房用の熱媒を熱源として予め加温しておく即湯システムを対象にして即湯制御を実行する即湯制御装置に関し、特に即湯を実現するために給湯配管が途中で２以上に分岐されて２以上の給湯栓まで延ばされ、直前に給湯使用があった給湯栓と、しばらく給湯使用のない給湯栓とが混在する場合であっても、各分岐給湯配管内の湯水を均一に加温するための制御技術に係る。
【背景技術】
【０００２】
従来、即湯システムとして、給湯熱源機から給湯栓まで延びる給湯配管に対し往きと戻りとの循環配管を添わせるように組み合わせ、その循環配管に対し、温水循環式の暖房熱源機からの暖房温水を熱源として循環供給させるようにしたものが提案されている（例えば特許文献１参照）。すなわち、給湯熱源機から複数の給湯栓までの各分岐給湯配管内に滞留している湯水に対し熱源である暖房温水を循環供給し、互いに接触させた循環配管及び給湯配管を介した伝熱により液−液熱交換させることによって、給湯配管内の湯水を加温して所定温度に維持させておき、給湯栓が開かれれば即座にその加温された湯が出湯されるようにしたものである。
【０００３】
【特許文献１】特開２００６−３１７０９２号公報
【発明の開示】
【発明が解決しようとする課題】
【０００４】
ところで、上記文献で提案されたものでは、即湯ヘッダーを給湯配管に組み込み、即湯ヘッダーで下流側を２以上の給湯配管に分岐させ、かかる分岐給湯配管により２以上の給湯栓に対し給湯可能としつつ、各分岐給湯配管の全てを上記の１つの循環配管に循環供給される暖房温水によって加温可能としている。
【０００５】
しかしながら、複数の給湯栓の内、例えば台所の給湯栓で給湯使用されると、その給湯使用が停止されても台所の給湯栓に延びる分岐給湯配管内は設定給湯温度に近い湯水が滞留することになる。その一方、他の洗面所等の給湯栓では給湯使用がなくてその給湯栓に延びる分岐給湯配管内は設定給湯温度よりもかなり低い温度まで温度低下した湯水が滞留することになる。このように給湯使用状況にバラツキのあり、内部の滞留湯水の温度状況が不均一になっている複数の分岐給湯配管に対し、１つの循環配管を通して熱源の暖房温水を循環供給すると、給湯使用がしばらくの間なかった分岐給湯配管では所期の加温が行われるものの、直前に給湯使用のあった分岐給湯配管では過度に加温されてしまうことになる。
【０００６】
本発明は、このような事情に鑑みてなされたものであり、その目的とするところは、複数の給湯栓に延びるよう複数本に分岐された給湯配管であって、給湯使用状況の相違に起因して内部に滞留する湯水の温度条件が不均一となっている複数の分岐給湯配管に対してでも、暖房用熱源の循環供給によって均一に加温させ得る即湯制御装置を提供することにある。
【課題を解決するための手段】
【０００７】
上記目的を達成するために、本発明では、給湯熱源機からの給湯をヘッダーにより２以上の分岐給湯配管に分岐されて２以上の給湯栓に導くようにされると共に、上記各分岐給湯配管に対し暖房熱源機から熱媒供給切換弁を介して熱媒を循環供給する循環配管を添わせ、熱媒供給切換弁の開閉切換制御により循環配管に循環供給される熱媒によって給湯運転停止中の給湯配管内の湯水を液−液熱交換で加温して所定の目標温度に維持するように即湯運転制御する即湯制御装置を対象にして、次の特定事項を備えることとした。すなわち、分岐前の給湯配管内の湯水の温度を検出する温度検出手段と、即湯運転制御を実行する即湯運転制御部とを備え、上記即湯運転制御部として、直前の所定時間内における上記２以上の分岐給湯配管のいずれかでの給湯使用の有無を給湯熱源機の燃焼履歴により判定し、いずれかの分岐給湯配管で給湯使用が有った場合には、加温の継続時間に制限を加えつつ上記温度検出手段による検出温度に基づく加温を繰り返す収束加温処理に切換える構成とした(請求項１)。
【０００８】
本発明の場合、複数の分岐給湯配管の内で給湯使用が有ったものと、無かったものとが混在し、内部の滞留湯水の温度も給湯使用があれば設定給湯温度に近く、給湯使用が無ければ設定給湯温度からかなり低温まで低下しているというように、温度条件が不均一になっている場合でも、収束加温処理を繰り返すことにより、給湯使用が有った分岐給湯配管内では過度の加温を抑制しつつも、給湯使用の無かった分岐給湯配管内の湯水を効率よく加温させることが可能となって、給湯使用の有無に拘わらず全ての分岐給湯配管内を均一温度に加温した状態に早期に到達させ得ることになる。
【０００９】
この本発明における収束加温処理として、所定の即湯タイマがアップするか、上記温度検出手段による検出温度が上記目標温度を基準とする判定温度まで昇温するかのいずれかの条件が成立するまで上記循環配管に熱媒を循環供給して加温させる一方、上記のいずれかの条件が成立すれば上記循環配管への熱媒の循環供給を停止させる構成とすることができる(請求項２)。このような構成を採用することにより、給湯使用が有った分岐給湯配管内では過度の加温を抑制しつつも、給湯使用の無かった分岐給湯配管内の湯水を効率よく加温させるという収束加温処理として確実な処理を実現させ得ることになる。
【００１０】
又、給湯熱源機からの給湯をヘッダーにより２以上の分岐給湯配管に分岐されて２以上の給湯栓に導くようにされると共に、上記各分岐給湯配管に対し暖房熱源機から熱媒供給切換弁を介して熱媒を循環供給する循環配管を添わせ、循環配管に循環供給される熱媒によって給湯運転停止中の給湯配管内の湯水を液−液熱交換で加温して所定の目標温度に維持するように構成された即湯システムを対象として、上記の請求項１又は請求項２に記載の即湯制御装置を備えるようにすることにより(請求項３)、即湯制御装置としての以上の作用が得られる即湯システムを実現させることが可能となる。
【発明の効果】
【００１１】
以上、説明したように、請求項１又は請求項２の即湯制御装置によれば、複数の分岐給湯配管の内で給湯使用が有ったものと、無かったものとが混在し、内部の滞留湯水の温度も給湯使用があれば設定給湯温度に近く、給湯使用が無ければ設定給湯温度からかなり低温まで低下しているというように、温度条件が不均一になっている場合でも、収束加温処理に切換えられてこの収束加温処理を繰り返すことにより、給湯使用が有った分岐給湯配管内では過度の加温を抑制しつつも、給湯使用の無かった分岐給湯配管内の湯水を効率よく加温させることができ、給湯使用の有無に拘わらず全ての分岐給湯配管内を均一温度に加温した状態に早期に到達させることができるようになる。
【００１２】
特に請求項２によれば、上記の収束加温処理を具体化させることができ、これにより、給湯使用が有った分岐給湯配管内では過度の加温を抑制しつつも、給湯使用の無かった分岐給湯配管内の湯水を効率よく加温させるという収束加温処理として確実な処理を実現させることができるようになる。
【００１３】
又、請求項３の即湯システムによれば、上記の請求項１又は請求項２の即湯制御装置に基づく作用効果を全て得ることができる即湯システムを提供することができる。
【発明を実施するための最良の形態】
【００１４】
図１は、本発明の実施形態に係る即湯制御装置及びこれを適用した即湯システムを示す。同図中、符号１は熱源機であり、この熱源機１は熱媒循環式の暖房熱源機２と給湯熱源機３とを同じハウジング内に併設して一体式に構成したものである。このような熱源機１は熱媒循環式暖房機能付きの給湯器、あるいは、給湯機能付きの熱媒循環式暖房機ともいわれる。なお、これに限らず、暖房熱源機２と、給湯熱源機３とが互いに独立に構成されたものを備えた即湯システムであってもよい。本実施形態の即湯システムは、上記の給湯熱源機３から主給湯配管４０を通して暖房即湯ヘッダー５に給湯した後、この暖房即湯ヘッダー５で分岐された分岐給湯配管４１，４２，４３を通して種々の給湯栓６１，６２，６３に対し給湯を分岐供給するようになっている。そして、上記の主給湯配管４０や各分岐給湯配管４１，４２，４３に対し暖房熱源機２からの熱媒(例えば温水；以下「温水」という)を循環供給するようにしたものである。上記の主給湯配管４０や分岐給湯配管４１，４２，４３が給湯配管４を構成する。以下、詳細に説明する。
【００１５】
上記暖房熱源機２は、その詳細構成を図２に例示するように、膨張タンク２１と、循環ポンプ２２と、燃焼バーナ２３と、熱交換器２４と、熱動弁付きの暖房往きヘッダー２５と、暖房戻りヘッダー２６とを備え、各種の放熱器に対し熱媒を循環供給するように構成されたものである。そして、循環供給する放熱器に応じて高温水（例えば８０度の温水）と、低温水（例えば６０度の温水）との２種類の温度の温水を循環供給し得るようになっている。
【００１６】
上記放熱器が高温水を必要とする例えば浴室乾燥機７１であると、循環ポンプ２２を作動する一方、燃焼バーナ２３を燃焼作動させ、膨張タンク２１内の熱媒を戻り路２７を通して熱交換器２４に送り、燃焼バーナ２３の燃焼熱により熱交換加熱して所定の高温度まで昇温させた熱媒を高温往き路２８及び機外の高温往き配管７２を通して浴室乾燥機７１に供給する。この浴室乾燥機７１で放熱して低温となった熱媒は戻り配管７３を通して暖房戻りヘッダー２６に戻され、ついで膨張タンク２１に戻される。以後、これが繰り返されて浴室乾燥機７１に対し高温度の熱媒が循環供給され、これに伴い、膨張タンク２１に放熱後の熱媒が戻されることになる。
【００１７】
又、上記放熱器が低温熱媒を必要とする例えば床暖房機７４であると、暖房往きヘッダー２５の上記床暖房機７４に対応する熱動弁を開け上記循環ポンプ２２を作動することにより、上記膨張タンク２１内の低温度の熱媒がそのまま低温往き路２９，暖房往きヘッダー２５及び低温往き配管７５を通して床暖房機７４に供給される。そして、床暖房機７４で放熱された後の値の熱媒が戻り配管７６及び暖房戻りヘッダー２６を通して膨張タンク２１に戻されることになる。なお、図２には低温度の熱媒の循環供給を受ける放熱器として１つの床暖房機７４だけが図示されているが、他にも別の部屋の床暖房機等が低温度の熱媒の循環供給を受けるように暖房往きヘッダー２５等の分岐数だけ接続可能となっている。
【００１８】
上記の暖房往きヘッダー２５は、上記低温往き路２９の下流端と接続される入側接続口と、所定の分岐数と同数の出側接続口と、この出側接続口の手前位置に個別に介装された温水供給切換弁(熱媒供給切換弁)としての熱動弁とを備え、入り側接続口から流入する温水を熱動弁が開状態にされている出側接続口に流出させるようになっている。又、上記の暖房戻りヘッダー２６は所定数の入側接続口と、膨張タンク２１に戻す側の出側接続口とを備えたものであり、各入側接続口から戻された温水を合流させて出側接続口から膨張タンク２１に戻すようになっている。なお、以上の暖房往きヘッダー２５の不使用の出側接続口や、暖房戻りヘッダー２６の不使用の入側接続口には閉止栓が連結されて閉止されるようになっている。
【００１９】
上記給湯熱源機３は、給水路３１と、燃焼バーナ３２と、熱交換器３３と、出湯路３４とを備えたものであり、給水路３１により給水された水が熱交換器３３を通過する間に燃焼バーナ３２からの燃焼熱により熱交換加熱され、所定温度に昇温された湯が出湯路３４に出湯されるようになっている。上記給水路３１には入水流量センサ３５が介装され、上記出湯路３４には給湯温度センサ３６と流量調整弁３７が介装されている。そして、出湯路３４の下流端の出湯接続口３４１には上記の主給湯配管４０の上流端が接続されている。この給湯熱源機３では、いずれかの給湯栓６１，６２，６３が開かれて入水流量センサ３５により最低作動流量以上の流量が検出されると熱源機コントローラ８による給湯運転制御が開始され、給湯温度センサ３６からの検出温度等に基づく燃焼制御等が行われ、これにより、給湯栓６１，６２，６３への給湯温度が例えばリモコン８１に入力設定された設定給湯温度になるようにされている。なお、リモコン８１としては図１又は図２に１つのみ図示するが、２以上配設されていてもよい。例えば給湯栓６１が台所カランであれば台所に、給湯栓６２が洗面カランであれば洗面所に、あるいは、給湯栓６３が風呂カランもしくはシャワーカランであれば風呂場に、それぞれリモコン８１を設置するようにしてもよい。
【００２０】
上記暖房即湯ヘッダー５は、図３にも示すように給湯ヘッダー部５１と、温水往きヘッダー部５２と、温水戻りヘッダー部５３とが、例えば鋳造又は合成樹脂により一体に形成されたものである。給湯ヘッダー部５１は上記主給湯配管４０の下流端が連通接続される１つの入口５１０と、この入口５１０に連通する所定の分岐数(図例では３つ)と同数の出口５１１，５１２，５１３を備え、温水往きヘッダー部５２も同様に後述の温水往き配管９０の下流端が連通接続される１つの入口５２０と、この入口５２０に連通する上記分岐数と同数の出口５２１，５２２，５２３を備え、温水戻りヘッダー部５３は上記分岐数と同数の入口５３１，５３２，５３３と、これら各入口５３１，５３２，５３３と連通する１つの出口５３４とを備えている。そして、上記給湯ヘッダー部５１の入口５１０に主給湯配管４０の下流端が連通接続され、分岐給湯配管４１の上流端が出口５１１に、分岐給湯配管４２の上流端が出口５１２に、分岐給湯配管４３の上流端が出口５１３に、それぞれ連通接続されている。
【００２１】
又、上記温水往きヘッダー部５２の入口５２０には、暖房往きヘッダー２５のある一つの熱動弁２５１(図２参照)及び接続口に接続された温水往き配管９０の下流端が連通接続され、第１温水循環配管の往き配管部９１の上流端が出口５２１に、第２温水循環配管の往き配管部９２の上流端が出口５２２に、第３温水循環配管の往き配管部９３の上流端が出口５２３に、それぞれ連通接続されている。そして、第１温水循環配管の往き配管部９１の下流端が給湯栓６１の直近又は近傍位置まで分岐給湯配管４１に添って延ばされた後に折り返され、以後、戻り配管部９４となって分岐給湯配管４１に添って暖房即湯ヘッダー５まで戻されて温水戻りヘッダー部５３の入口５３１に連通接続されている。同様に、第２温水循環配管の往き配管部９２の下流端が給湯栓６２の直近位置まで分岐給湯配管４２に添って延ばされた後に折り返され、以後、戻り配管部９５となって分岐給湯配管４２に添って暖房即湯ヘッダー５まで戻されて温水戻りヘッダー部５３の入口５３２に連通接続されている。加えて、第３温水循環配管の往き配管部９３の下流端が給湯栓６３の直近位置まで分岐給湯配管４３に添って延ばされた後に折り返され、以後、戻り配管部９６となって分岐給湯配管４３に添って暖房即湯ヘッダー５まで戻されて温水戻りヘッダー部５３の入口５３３に連通接続されている。そして、温水戻りヘッダー部５３の出口５３４には温水戻り配管９７の上流端が連通接続され、この温水戻り配管９７の下流端は暖房戻りヘッダー２６のある１つの接続口に連通接続されている。
【００２２】
以上の主給湯配管４０は上記の温水往き配管９０及び温水戻り配管９７と共に３本まとめて１本に組み付けられ、又、各分岐給湯配管４１，４２，４３も、上記の往き配管部９１，９２，９３及び戻り配管部９４，９５，９６と共にそれぞれ３本まとめて１本に組み付けられている。例えば、図４に示すように、主給湯配管４０に対し温水往き配管９０及び温水戻り配管９７が接触されて伝熱可能なように３本まとめて例えばアルミニウムテープ９０１により結束されて組み付けられ、さらに、その外周囲に保護筒９０２が被せられて断熱等がなされた状態で１本のものとしてまとめられている。同様に、分岐給湯配管４１と、往き配管部９１及び戻り配管部９４との３本が１本に、分岐給湯配管４２と、往き配管部９２及び戻り配管部９５との３本が１本に、分岐給湯配管４３と、往き配管部９３及び戻り配管部９６との３本が１本に、それぞれまとめられている。
【００２３】
以上により、暖房熱源機２の循環ポンプ２２及び燃焼バーナ２３が熱源機コントローラ８又は後述の即湯コントローラ１０により作動された暖房運転中において、暖房往きヘッダー２５の対応する熱動弁２５１が開作動されて温水が温水往き配管９０に供給されるという即湯暖房循環が開始されると、温水が温水往き配管９０を通して温水往きヘッダー部５２に供給され、ついで第１〜第３の各往き配管部９１，９２，９３に分岐供給され、各給湯栓６１，６２，６３近傍で折り返されて各戻り配管９４，９５，９６を流れて温水戻りヘッダー部５３に戻され、ここで合流して温水戻り配管９７を通して暖房戻りヘッダー２６に戻されるというように温水が循環することになる。上記の温水往き配管９０、温水往きヘッダー部５２、各往き配管部９１，９２，９３、各戻り配管９４，９５，９６、及び、温水戻り配管９７が、即湯機能の実現のために給湯配管４を加温する温水(熱媒)の循環配管を構成する。
【００２４】
そして、上記の循環供給される温水によって給湯配管４内の滞留湯水が加温される原理は次の通りである。すなわち、上記の温水の循環供給が給湯熱源機３での給湯運転停止中、すなわち、主給湯配管４０，給湯ヘッダー部５１、各分岐給湯配管４１，４２，４３の各内部に給湯用の湯水が残留して滞留している状態で実行されると、まず、主給湯配管４０内の湯水が温水往き配管９０に供給される温水からの伝熱を受けて加温され、給湯ヘッダー部５１内の湯水が温水往きヘッダー部５２に供給される温水からの伝熱を受けて加温され、ついで各分岐給湯配管４１，４２，４３内の湯水が往き配管部９１，９２，９３に供給される温水からの伝熱を受けて加温され、以上の加温（液−液熱交換加熱）の分だけ低温となった温水が戻り配管部９４，９５，９６、温水戻りヘッダー部５３及び温水戻り配管９７を通って戻される間も上記湯水に若干の伝熱を与えることになる。これにより、給湯熱源機３から各給湯栓６１，６２，６３に至るまでの間の経路内に滞留している給湯用の湯水の全てが給湯運転停止中に加温されると共に、上記主給湯配管４０内や給湯ヘッダー部５１内で加温された湯水の自然対流等により加温域が出湯路３４内に沿って上昇して給湯熱源機３内部までも加温されることになる。この際、各分岐給湯配管４１，４２，４３への分岐前の給湯ヘッダー部５１内において加温された湯水の温度が、この給湯ヘッダー部５１に配設された給湯ヘッダー温度センサ５４により検出され、この検出温度が即湯コントローラ１０に入力されることになる。
【００２５】
上記即湯コントローラ１０は、熱源機コントローラ８と、この熱源機コントローラ８を介してリモコン８１と互いに連係され、熱源機コントローラ８からの暖房熱源機２や給湯熱源機３の運転状況に関する情報やリモコン８１に入力設定される情報等を取得しつつ上記給湯ヘッダー温度センサ５４の検出温度に基づき即湯運転制御を実行するようになっている。以下、図５を参照しつつ即湯運転制御について説明する。
【００２６】
例えばリモコン８１に設けられた即湯運転を開始させるための即湯スイッチ８１２がＯＦＦ状態であればサーモ要求をＯＦＦに維持する一方(ステップＳ１，ステップＳ２でＮＯ)、即湯スイッチ８１２がＯＮ操作されればサーモ要求をＯＮにする(ステップＳ２でＹＥＳ，ステップＳ３)。ここでサーモ要求のＯＮとは、即湯運転のための熱源として熱源機コントローラ８に対し暖房熱源機２からの温水の循環供給を要求して温水の循環供給を開始させることであり、具体的には、暖房熱源機２の循環ポンプ２２のＯＮ作動、燃焼バーナ２３の燃焼作動及び熱動弁２５１の開作動の各要求信号を出力することである。
【００２７】
次に、過去の所定時間ｔ１(例えば３０分間)以内に給湯使用が有ったか否かについて、熱源機コントローラ８から給湯熱源機３の燃焼バーナ３２の燃焼作動履歴情報から取得して判定・確認する(ステップＳ４)。そして、いずれの給湯栓６１，６２，６３でも給湯使用が無ければステップＳ５〜Ｓ７までの通常加温処理を行う一方(ステップＳ４でＮＯ)、いずれかの給湯栓６１，６２，６３で給湯使用が有ればステップＳ８〜Ｓ１３までの収束加温処理を行う(ステップＳ４でＹＥＳ)。
【００２８】
いずれの給湯栓６１，６２，６３でも給湯使用が無ければ、全ての分岐給湯配管４１，４２，４３内の滞留湯水はほぼ均一な状況にあるため、上記給湯ヘッダー温度センサ５４の検出温度Ｔｈが所定の第２判定温度Ｔｈ２(例えばリモコン８１に入力設定された設定給湯温度又はそれよりも若干低めの温度）に上昇するまでは温水の循環供給を継続して加温を続ける一方(ステップＳ５でＮＯ)、Ｔｈが第２判定温度Ｔｈ２まで上昇すればサーモ要求をＯＦＦにして温水の循環供給を停止させ加温を停止させる(ステップＳ５でＹＥＳ，ステップＳ６)。ここで、第２判定温度Ｔｈ２は、リモコン８１に入力設定された設定給湯温度を目標温度として設定される。従って、基本的にはＴｈ２として設定給湯温度とほぼ同じ温度を設定すればよいが、現実的には温水の循環供給を停止しても循環配管内の温水の余熱によって給湯配管４内の湯水に若干の昇温が見込まれるため、これを考慮してＴｈ２として設定給湯温度よりも数度分だけ低めの温度(例えば設定給湯温度−２℃又は−３℃の温度)を設定すればよい。又、上記のサーモ要求のＯＦＦとは、他の放熱器(例えば図２の符号７４参照)が暖房運転を継続していることもあるため、即湯運転制御でのサーモ要求ＯＦＦでは少なくとも熱動弁２５１の閉作動信号を出力して温水往き配管９０への温水供給を遮断することである。そして、給湯ヘッダー温度センサ５４の検出温度Ｔｈが制御上のヒステリシスを考慮して設定した第３判定温度Ｔｈ３(例えば設定給湯温度−５℃の温度)よりも低温側に温度低下するまで温水の循環供給を停止した状態に維持し(ステップＳ７でＮＯ)、検出温度Ｔｈが第３判定温度Ｔｈ３よりも低温側に温度低下すれば(ステップＳ７でＹＥＳ)、ステップＳ２に戻ってステップＳ２〜Ｓ４の処理を繰り返す。
【００２９】
一方、どれかは不特定ではあるものの、いずれかの給湯栓６１，６２，６３で給湯使用が有ったのであれば、まず、即湯タイマをスタートさせた上で(ステップＳ８)、この即湯タイマがアップするまでの間は(ステップＳ９でＮＯ)、給湯ヘッダー温度センサ５４の検出温度Ｔｈが第１判定温度Ｔｈ１(例えば設定給湯温度＋１℃又は２℃の温度)まで上昇していないことを条件に即湯タイマによる時間経過を待つ(ステップＳ１０でＮＯ，ステップＳ９)。その一方、即湯タイマがまだアップしていないが、検出温度Ｔｈが第１判定温度Ｔｈ１まで上昇するか(ステップＳ９でＮＯ，ステップＳ１０でＹＥＳ)、あるいは、即湯タイマがアップするかすれば(ステップＳ９でＹＥＳ)、サーモ要求をＯＦＦにして温水の循環供給を停止させる(ステップＳ１１)。そして、待機タイマをスタートさせ(ステップＳ１２)、その待機タイマによる時間(例えば数分間〜１０数分間)が経過するまでは温水の循環供給による加温を停止させた状態に維持し(ステップＳ１３でＮＯ)、待機タイマがアップすれば(ステップＳ１３でＹＥＳ)、ステップＳ２に戻ってステップＳ２〜Ｓ４の処理を繰り返す。
【００３０】
上記の第１判定温度Ｔｈ１の設定は次のようにして行われる。すなわち、給湯使用が割と近い過去にあれば、検出温度Ｔｈは給湯使用中の設定給湯温度の状態から給湯使用終了後の経過時間に対応する分だけ温度低下しているに過ぎないと考えられるため、その給湯使用された分岐給湯配管４１，４２又は４３内の滞留湯水が過度に加温されないようにするため、設定給湯温度とほぼ同じ温度か、＋１℃か＋２℃程度の僅かに高い許容範囲の温度かを第１判定温度Ｔｈ１として設定する。一方、即湯タイマの時間設定は次のようにして行われる。すなわち、給湯使用が行われなかった分岐給湯配管４１，４２又は４３内の滞留湯水の温度は給湯使用が行われたそれよりもかなり低下していると考えられ、このような設定給湯温度よりもかなり温度低下している滞留湯水を効率よく加温させる必要がある。そこで、給湯使用が行われた分岐給湯配管４１，４２又は４３内の滞留湯水が過度に加温されない範囲で、かつ、給湯使用されていまい分岐給湯配管４１，４２又は４３内の滞留湯水を効率よく加温させ得る時間値(例えば数分間〜１０数分間)が即湯タイマ時間として設定されている。
【００３１】
以上の給湯使用有りの場合の処理によれば、要するに、過去にいずれかの分岐給湯配管４１，４２，４３で給湯使用が有って給湯使用されていない分岐給湯配管４１，４２，４３との間で滞留湯水の温度が不均一になっている場合であっても、給湯使用有りの分岐給湯配管４１，４２又は４３内の滞留湯水が過度に加温されないようにしつつも、給湯使用無しの分岐給湯配管４１，４２又は４３内の滞留湯水の加温を図るというステップＳ８〜Ｓ１３の制御を繰り返す制御を行うことにより、全ての分岐給湯配管４１〜４３内の滞留湯水が均一に加温された状態に早期に収束させることができるようになる。
【００３２】
＜他の実施形態＞
なお、本発明は上記実施形態に限定されるものではなく、その他種々の実施形態を包含するものである。すなわち、上記実施形態では、暖房即湯ヘッダー５において、３つの分岐給湯配管４１，４２，４３に分岐させているが、分岐数は適宜変更すればよい。又、暖房即湯ヘッダー５により分岐給湯配管４１，４２，４３として給湯分岐のためだけでなくて、温水往きヘッダー部５２及び温水戻りヘッダー部５３を利用して暖房用の放熱器への温水供給を分岐させるという暖房用のヘッダーとして利用するようにしてもよい。
【００３３】
又、上記の即湯運転制御で利用する検出温度Ｔｈとしては、給湯ヘッダー温度センサ５４による検出温度に代えて、主給湯配管４０の途中に介装した給湯温度センサによる検出温度を用いるようにしてもよい。
【００３４】
さらに、熱媒供給切換弁として熱動弁２５１を示したが、熱動弁以外の開閉切換弁を用いてもよい。
【図面の簡単な説明】
【００３５】
【図１】本発明の実施形態を示す模式図である。
【図２】図１の熱源機の詳細構成を例示する模式図である。
【図３】暖房即湯ヘッダーの詳細構成例を示す拡大斜視図である。
【図４】即湯機能を実現させるための給湯配管と温水循環のための配管との組み合わせの構成を示す破断状態の斜視図である。
【図５】即湯運転制御に係るフローチャートである。
【符号の説明】
【００３６】
２      暖房熱源機
３      給湯熱源機
５      暖房即湯ヘッダー(ヘッダー)
８      熱源機コントローラ
１０    即湯コントローラ（即湯運転制御部）
４１，４２，４３    分岐給湯配管
５１    給湯ヘッダー部(ヘッダー)
５２    温水往きヘッダー部
５３    温水戻りヘッダー部
５４    給湯ヘッダー温度センサ(温度検出手段)
６１，６２，６３    給湯栓
９０    温水往き配管(循環配管)
９１，９２，９３    往き配管部（循環配管）
９４，９５，９６    戻り配管部（循環配管）
２５１  熱動弁(熱媒供給切換弁)
【図１】
0005051366.tif 000002
【図２】
0005051366.tif 000003
【図３】
0005051366.tif 000004
【図４】
0005051366.tif 000005
【図５】
0005051366.tif 000006